(57)【要約】【課題】元オブジェクトと関連情報とを容易に対応付けることを可能とすると共に、多数の第三者に電子目録や関連情報群の作成と提供を促し、利用者に対して適切なユーザインタフェースを提供することのできる電子目録を用いたＩＤ情報抽出方法、電子目録を用いたＩＤ関連情報紹介方法、電子目録システム、および電子目録関連情報紹介システムを提供する。【解決手段】外部から受信する情報との同期を検証するために予め設定される同期情報と、この同期情報に対応するＩＤリストならびに付加情報リストとを含む電子目録を記憶、管理する記憶手段を備えたコンピュータが、電子目録に含まれる同期情報を記憶手段から読み出し、その同期情報を外部から入力される入力同期情報と比較して同期判定を行い、この判定の結果に基づいて、電子目録の記載内容から対応するＩＤ情報を抽出して出力する。【選択図】      図１
2004355280.tif 000002
【特許請求の範囲】
【請求項１】
外部から受信する情報との同期を検証するために予め設定される同期情報と、この同期情報に対応するＩＤリストならびに付加情報リストとを含む電子目録を記憶、管理する記憶手段を備えたコンピュータが、
電子目録に含まれる予め設定された同期情報を前記記憶手段から読み出し、当該同期情報を外部から入力される入力同期情報と比較して同期判定を行うステップと、
このステップで行った同期判定の結果に基づいて、電子目録の記載内容から対応するＩＤ情報を抽出して出力するステップと
を実行することを特徴とする電子目録を用いたＩＤ情報抽出方法。
【請求項２】
前記同期情報は、時刻データ、空間位置データ、オブジェクト識別データのうちの少なくともいずれか一つを含むことを特徴とする請求項１記載の電子目録を用いたＩＤ情報抽出方法。
【請求項３】
外部から受信する情報との同期を検証するために予め設定される同期情報と、この同期情報に対応するＩＤリストならびに付加情報リストとを含む電子目録を記憶、管理する記憶手段を備えたコンピュータが、
外部から受信した電子目録選択情報に対応する電子目録を前記記憶手段から選択するステップと、
このステップで選択した電子目録に含まれる予め設定された同期情報を前記記憶手段から読み出し、当該同期情報を外部から入力される入力同期情報と比較して同期判定を行うステップと、
このステップで行った同期判定の結果に基づいて、電子目録の記載内容から対応するＩＤ情報を抽出して出力するステップと
を実行することを特徴とする電子目録を用いたＩＤ情報抽出方法。
【請求項４】
請求項１乃至３のいずれか１項に記載の電子目録を用いたＩＤ情報抽出方法を実行するコンピュータである一または複数の電子目録システムと、
元オブジェクトであるコンテンツを再生、制御する一方で、少なくとも入力するＩＤ関連情報を再生、制御する端末システムと、
受信したＩＤ情報に基づいて、当該ＩＤ情報の指すオブジェクトに関連するＩＤ関連情報を前記端末システムに出力する情報紹介システムと
が互いに電気的に接続されて成るシステムにおいて、
前記端末システムが、同期情報を少なくとも一つの電子目録システムに送信するステップと、
前記電子目録システムが、前記端末システムから受信した入力同期情報に基づいてＩＤ情報を送信するステップと、
少なくとも一つの前記関連情報紹介システムが、受信したＩＤ情報に関連するＩＤ関連情報を前記端末システムに送信するステップと、
前記端末システムが、元オブジェクトとＩＤ関連情報との同期をとることによって制御を行うステップと
を実行することを特徴とする電子目録を用いたＩＤ関連情報紹介方法。
【請求項５】
請求項１乃至３のいずれか１項に記載の電子目録を用いたＩＤ情報抽出方法を実行するコンピュータである一または複数の電子目録システムと、
元オブジェクトであるコンテンツを再生、制御する一方で、少なくとも入力するＩＤ関連情報を再生、制御する端末システムと、
受信したＩＤ情報に基づいて、当該ＩＤ情報の指すオブジェクトに関連するＩＤ関連情報を前記端末システムに出力する情報紹介システムと
が互いに電気的に接続されて成るシステムにおいて、
前記電子目録システムが、元オブジェクト自身、または元オブジェクトの付随オブジェクト、または元オブジェクトの転送元から受信した元オブジェクトに係る同期情報に基づいてＩＤ情報を送信するステップと、
少なくとも一つの前記情報紹介システムが、受信したＩＤ情報に関連するＩＤ関連情報を前記端末システムに送信するステップと、
前記端末システムが、元オブジェクトとＩＤ関連情報との同期をとることによって制御を行うステップと
を実行することを特徴とする電子目録を用いたＩＤ関連情報紹介方法。
【請求項６】
外部から受信する情報との同期を検証するために予め設定される同期情報と、この同期情報に対応するＩＤリストならびに付加情報リストとを含む電子目録を記憶、管理する記憶手段と、
外部から入力される入力同期情報と電子目録に含まれる予め設定された同期情報とを比較して同期判定を行う同期判定手段と、
この同期判定手段で行った同期判定の結果に基づいて、電子目録の記載内容から対応するＩＤ情報を読み出して出力するＩＤ情報出力手段と
を備えたことを特徴とする電子目録システム。
【請求項７】
前記同期情報は、時刻データ、空間位置データ、オブジェクト識別データのうちの少なくともいずれか一つを含むことを特徴とする請求項６記載の電子目録システム。
【請求項８】
請求項６または７に記載された一または複数の電子目録システムと、
元オブジェクトであるコンテンツを再生、制御する元オブジェクト制御手段、および少なくとも受信するＩＤ情報に関連するＩＤ関連情報を再生、制御するＩＤ関連情報制御手段を有し、元オブジェクトとＩＤ関連情報との同期をとることによって制御を行う端末システムと、
受信したＩＤ情報に基づいて、当該ＩＤ情報の指すオブジェクトに関連するＩＤ関連情報を前記端末システムに出力する関連情報紹介システムと
を備えたことを特徴とする電子目録関連情報紹介システム。
【請求項９】
前記情報紹介システムの元オブジェクト制御手段は、同期情報を少なくとも一つの前記電子目録システムに送信することを特徴とする請求項８記載の電子目録関連情報紹介システム。
【発明の詳細な説明】
【０００１】
【発明の属する技術分野】
本発明は、音楽や映像などのコンテンツ（元オブジェクト）に関する電子目録を用いたＩＤ情報抽出方法、電子目録を用いたＩＤ関連情報紹介方法、電子目録システム、および電子目録関連情報紹介システムに関する。
【０００２】
【従来の技術】
従来、電子目録を利用した電子目録システムとしては、例えば図２０に示すものが知られている。同図に示す電子目録システム１０１では、電子目録ａ１，ａ２，ａ３，・・・を利用する端末ｂ１に対して、電子目録ａ１から表示出力ｃ１がある。この電子目録ａ１は、目録識別情報ａ１０の内容によって識別される。図２０に示す場合、東京地区（Ｔｏｋｙｏ）の１チャンネル（ｃｈ−１）のテレビ番組（ＴＶ）を表すものとなっている。電子目録ａ１は二次元の表構成をしており、縦方向は、時刻を表す列ａ１１、番組を表す列ａ１２、及び関連情報を表す列ａ１３から成り、横方向は、各時刻におけるテレビ番組の内容を表す複数の行ａ１−１、ａ１−２、・・・から成る。
【０００３】
電子目録システム１０１においては、端末ｂ１からの要求に基づいて、あるいは、その他のトリガによって電子目録ａ１が特定され、電子目録ａ１の内容及び関連情報が表示出力ｃ１として端末ｂ１に出力され、表示されることを基本としている（例えば、特許文献１を参照）。
【０００４】
このような従来の電子目録システムにおいては、テレビ番組の内容など、元オブジェクトに関する目録の内容の表示そのものが主目的であり、目録の内容を一般の「ことば」の形で保持すると共に、要求に応じて指定された部分を外部に出力していた。
【０００５】
一方、ユーザが利用する元コンテンツに関して、その元コンテンツに関連する情報をコンテンツのＩＤと関連付けて紹介するＩＤ関連情報紹介システムについては、例えば図２１に示すようなものが知られている。
【０００６】
同図に示すＩＤ関連情報紹介システム２０１において、端末システム６９は、映像や音楽などのコンテンツである元オブジェクト７９を入力して再生したりする元オブジェクト制御手段６９１と、端末システム利用者のＩＤ抽出指示ｅ９に基づいて、元オブジェクト７９に付随するＩＤを抽出して外部にＩＤ情報４１９を出力するＩＤ抽出出力手段ｄ９と、外部から入力するＩＤ関連情報８９０の表示等を行うＩＤ関連情報制御手段６９２とを備えている。
【０００７】
また、図２１に示す情報紹介システム８９１は、端末システム６９から入力されるＩＤ情報４１９に基づいて、情報蓄積手段８９２に格納されるデータの中から、受信したＩＤ情報４１９に関連するＩＤ関連情報８９０を選択して出力する（例えば、特許文献２を参照）。
【０００８】
このような従来のＩＤ関連情報紹介システム２０１においては、端末システム６９の利用者の指示に基づいて、元オブジェクトに付随するＩＤ情報４１９を抽出、出力し、それを用いてＩＤ関連情報８９０を端末システム６９に紹介していた。
【０００９】
【特許文献１】
特開２００２−２６２１９１号公報
【００１０】
【特許文献２】
特開２００３−３６３１８号公報
【００１１】
【発明が解決しようとする課題】
しかしながら、上記電子目録システムにおいては、電子目録の内容を一般の「ことば」の形で保持すると共に、要求に応じて指定された部分を外部に出力していたため、電子目録の内容に関連する情報を紹介したり、電子目録の内容に関連する動作をしたりする場合に、それらの情報や動作と対応させる「キー」の抽出が困難であった。
【００１２】
また、元オブジェクトに関する電子目録の内容の表示が主目的であるため、同じようなものしか想定されず、電子目録の作成者は、元オブジェクトの作成者などに限定されてしまうことが多かった。
【００１３】
また、上記ＩＤ関連情報紹介システムにおいては、端末システム利用者の指示に基づいて、元オブジェクトに付随するＩＤ情報を出力し、それを用いて関連情報を紹介するため、利用者が指示しないと関連情報は紹介されない。さらに、出力されるＩＤ情報は元オブジェクトに付随するものだけなので、関連情報も限定されるという問題があった。このような問題が生じる理由は、関連情報の提供者が、それぞれ自らの意志によって得意とするジャンルの関連情報を提供しようとしても、全体として利用者の端末システムに膨大な情報を出力することになり、好ましくないからである。
【００１４】
本発明は上述した事情に鑑みてなされたものであり、その目的は、元オブジェクトと関連情報とを容易に対応付けることを可能とすると共に、多数の第三者に電子目録や関連情報群の作成と提供を促し、利用者に対して適切なユーザインタフェースを提供することのできる電子目録を用いたＩＤ情報抽出方法、電子目録を用いたＩＤ関連情報紹介方法、電子目録システム、および電子目録関連情報紹介システムを提供することにある。
【００１５】
【課題を解決するための手段】
上記目的を達成するために、請求項１記載の発明は、外部から受信する情報との同期を検証するために予め設定される同期情報と、この同期情報に対応するＩＤリストならびに付加情報リストとを含む電子目録を記憶、管理する記憶手段を備えたコンピュータが、電子目録に含まれる予め設定された同期情報を前記記憶手段から読み出し、当該同期情報を外部から入力される入力同期情報と比較して同期判定を行うステップと、このステップで行った同期判定の結果に基づいて、電子目録の記載内容から対応するＩＤ情報を抽出して出力するステップとを実行することを特徴とする。
【００１６】
請求項２記載の発明は、請求項１記載の発明において、前記同期情報は、時刻データ、空間位置データ、オブジェクト識別データのうちの少なくともいずれか一つを含むことを特徴とする。
【００１７】
請求項３記載の発明は、外部から受信する情報との同期を検証するために予め設定される同期情報と、この同期情報に対応するＩＤリストならびに付加情報リストとを含む電子目録を記憶、管理する記憶手段を備えたコンピュータが、外部から受信した電子目録選択情報に対応する電子目録を前記記憶手段から選択するステップと、このステップで選択した電子目録に含まれる予め設定された同期情報を前記記憶手段から読み出し、当該同期情報を外部から入力される入力同期情報と比較して同期判定を行うステップと、このステップで行った同期判定の結果に基づいて、電子目録の記載内容から対応するＩＤ情報を抽出して出力するステップとを実行することを特徴とする。
【００１８】
請求項４記載の発明は、請求項１乃至３のいずれか１項に記載の電子目録を用いたＩＤ情報抽出方法を実行するコンピュータである一または複数の電子目録システムと、元オブジェクトであるコンテンツを再生、制御する一方で、少なくとも入力するＩＤ関連情報を再生、制御する端末システムと、受信したＩＤ情報に基づいて、当該ＩＤ情報の指すオブジェクトに関連するＩＤ関連情報を前記端末システムに出力する情報紹介システムとが互いに電気的に接続されて成るシステムにおいて、前記端末システムが、同期情報を少なくとも一つの電子目録システムに送信するステップと、前記電子目録システムが、前記端末システムから受信した入力同期情報に基づいてＩＤ情報を送信するステップと、少なくとも一つの前記関連情報紹介システムが、受信したＩＤ情報に関連するＩＤ関連情報を前記端末システムに送信するステップと、前記端末システムが、元オブジェクトとＩＤ関連情報との同期をとることによって制御を行うステップとを実行することを特徴とする。
【００１９】
請求項５記載の発明は、請求項１乃至３のいずれか１項に記載の電子目録を用いたＩＤ情報抽出方法を実行するコンピュータである一または複数の電子目録システムと、元オブジェクトであるコンテンツを再生、制御する一方で、少なくとも入力するＩＤ関連情報を再生、制御する端末システムと、受信したＩＤ情報に基づいて、当該ＩＤ情報の指すオブジェクトに関連するＩＤ関連情報を前記端末システムに出力する情報紹介システムとが互いに電気的に接続されて成るシステムにおいて、前記電子目録システムが、元オブジェクト自身、または元オブジェクトの付随オブジェクト、または元オブジェクトの転送元から受信した元オブジェクトに係る同期情報に基づいてＩＤ情報を送信するステップと、少なくとも一つの前記情報紹介システムが、受信したＩＤ情報に関連するＩＤ関連情報を前記端末システムに送信するステップと、前記端末システムが、元オブジェクトとＩＤ関連情報との同期をとることによって制御を行うステップとを実行することを特徴とする。
【００２０】
請求項６記載の発明は、外部から受信する情報との同期を検証するために予め設定される同期情報と、この同期情報に対応するＩＤリストならびに付加情報リストとを含む電子目録を記憶、管理する記憶手段と、外部から入力される入力同期情報と電子目録に含まれる予め設定された同期情報とを比較して同期判定を行う同期判定手段と、この同期判定手段で行った同期判定の結果に基づいて、電子目録の記載内容から対応するＩＤ情報を読み出して出力するＩＤ情報出力手段とを備えたことを特徴とする。
【００２１】
請求項７記載の発明は、請求項６記載の発明において、前記同期情報は、時刻データ、空間位置データ、オブジェクト識別データのうちの少なくともいずれか一つを含むことを特徴とする。
【００２２】
請求項８記載の発明は、請求項６または７に記載された一または複数の電子目録システムと、元オブジェクトであるコンテンツを再生、制御する元オブジェクト制御手段、および少なくとも受信するＩＤ情報に関連するＩＤ関連情報を再生、制御するＩＤ関連情報制御手段を有し、元オブジェクトとＩＤ関連情報との同期をとることによって制御を行う端末システムと、受信したＩＤ情報に基づいて、当該ＩＤ情報の指すオブジェクトに関連するＩＤ関連情報を前記端末システムに出力する関連情報紹介システムとを備えたことを特徴とする。
【００２３】
請求項９記載の発明は、請求項８記載の発明において、前記情報紹介システムの元オブジェクト制御手段は、同期情報を少なくとも一つの前記電子目録システムに送信することを特徴とする。
【００２４】
【発明の実施の形態】
以下、添付図面を参照して、本発明の実施の形態を説明する。
【００２５】
（第１の実施形態）
図１は、本発明の第１の実施形態に係る電子目録システムの概念図である。
【００２６】
同図に示す電子目録システム１は、電子目録１１、同期判定手段２１、ＩＤ情報出力手段２２、電子目録１１を記憶、管理するデータベースである記憶手段２３を備える。
【００２７】
後述する各種処理においては、同期判定手段２１およびＩＤ情報出力手段２２が、必要に応じて記憶手段２３に格納されている電子目録１１を読み出して参照したり、あるいはこの記憶手段２３に対して新たなデータを格納したりする。
【００２８】
このように、電子目録システム１は、ＣＰＵ（Ｃｅｎｔｒａｌ  Ｐｒｏｃｅｓｓｉｎｇ  Ｕｎｉｔ）によって制御並びに演算を実行する電子的な装置であるコンピュータから構成されている。
【００２９】
なお、本実施形態においては、一つのコンピュータが実行する場合だけでなく、各ステップの実行を適宜分割して二つ以上のコンピュータから構築されたシステムが全体で実行する場合も含まれる。この意味で、本実施形態に係る「電子目録システム」は、一つまたは複数のコンピュータ（システム）によって構成されることはいうまでもない。この点は、本発明の全ての実施の形態に共通する事項である。
【００３０】
図２は、電子目録１１の一例を表す概念図である。同図に示す電子目録１２は、目録識別情報１２０の内容によって特定されるものであり、この場合、東京地区（Ｔｏｋｙｏ）の１チャンネル（ｃｈ−１）のテレビ番組（ＴＶ）を表している。電子目録１２は二次元の表構成をしており、縦方向は、時刻によってあらかじめ設定された同期情報を表す列１２１、ＩＤリストを表す列１２３、付加情報リストを表す列１２４から構成される一方で、横方向は、各時刻におけるテレビ番組の内容に対応するＩＤ情報群を表す複数の行１２−１，１２−２，１２−３，１２−４，・・・から構成されている。
【００３１】
電子目録１２においては、東京地区の１チャンネルのテレビ番組のうち、２００３年６月１０日２０時００分００秒から放送される内容に対し、３個のＩＤ（０００１，００２５，００３１）が対応付けられている。同様に、２００３年６月１０日２０時０１分００秒から放送される内容に対し、１個のＩＤ（００１２）と２個の付加情報（００１２−０００２，００１２−０００５）が、同日２０時０１分１０秒から放送される内容に対し、２個のＩＤ（００２０，００２１）が、同日２０時０１分３０秒に放送される内容に対し、１個のＩＤ（００４３）が、それぞれ対応付けられている。
【００３２】
次に、以上の構成を有する電子目録システム１の作用を、図３のフローチャート図を用いて説明する。
【００３３】
外部から同期情報３１が入力されると、ステップＳ１１でこの同期情報３１を受信した電子目録システム１では、同期判定手段２１において、受信した同期情報３１と記憶手段２３に記憶されている電子目録１１の同期情報列１２１との比較を行う（ステップＳ１２）。以後、電子目録システムに外部から入力された同期情報と予め記憶手段に記憶されている同期情報を区別するために、その区別が明らかな場合や区別が必要ない場合を除いて、前者を「入力同期情報」、後者を「設定同期情報」と呼ぶ。
【００３４】
この結果、電子目録１１の内容のうち“同期している”と判定した部分の情報が、ＩＤ情報出力手段２２に渡される。そしてＩＤ情報出力手段２２は、電子目録１１の内容から、“同期している”と判定された部分に対応するＩＤの情報をＩＤ情報４１として抽出し（ステップＳ１３）、このＩＤ情報４１を電子目録システム１の外部に出力する（ステップＳ１４）。
【００３５】
電子目録システム１における電子目録１１として、図２に示す電子目録１２を使用する場合には、入力同期情報３１として、時々刻々のクロックデータを入力する。このとき、入力するクロックデータが“２００３年６月１０日２０時００分００秒”となったとき、同期判定手段２１は、電子目録１２の（１２−１）行（１２１）列の値と一致することを検出し、その旨をＩＤ情報出力手段２２に通知し、ＩＤ情報出力手段２２は、電子目録１２の（１２−１）行（１２３）列のデータ（０００１，００２５，００３１）を、ＩＤ情報４１として抽出し、電子目録システム１の外部に出力する。
【００３６】
同様にして、入力するクロックデータが“２００３年６月１０日２０時０１分００秒”となったときには、ＩＤ情報４１として（００１２，００１２−０００２，００１２−０００５）を抽出、出力する。
【００３７】
また、入力するクロックデータが“２００３年６月１０日２０時０１分１０秒”となったときには、ＩＤ情報４１として（００２０，００２１）を抽出、出力する。
【００３８】
さらに、入力するクロックデータが“２００３年６月１０日２０時０１分３０秒”となったときには、ＩＤ情報４１として、（００４３）を抽出、出力する。
【００３９】
これ以後の時刻についても同様である。
【００４０】
ところで、以上の説明においては、入力同期情報３１として、クロックデータを電子目録システム１の外部から入力することとしているが、電子目録システム１内に時計を保持することによって自身でクロックデータを生成することも勿論可能である。
【００４１】
また、入力同期情報３１として、絶対時刻のみの場合を説明したが、起点信号とその起点からの相対時刻を使用することも可能である。すなわち、図２の例では、最初に、“２００３年６月１０日２０時００分００秒”を表す起点信号が入力され、それ以降は、起点信号入力時からの経過時間が入力され、電子目録１２の各行１２−１，１２−２，１２−３，・・・の設定同期情報列１２１に記載された“０秒”，“１分”，“１分１０秒”，“１分３０秒”，・・・の値と比較される。
【００４２】
さらに、入力同期情報３１及び電子目録１２中の設定同期情報列１２１をそのまま比較することとしたが、下位の部分、たとえば秒の部分をマスクして比較することも可能である。
【００４３】
以上説明した本発明の第１の実施形態によれば、時刻などの同期情報及び対応するＩＤリストと付加情報リストを含む、音楽や映像などのコンテンツ（元オブジェクト）に関する電子目録から、入力する同期情報に基づいて目録記載内容から選択した対応するＩＤ情報を出力するため、元オブジェクト自身にＩＤが付与されていないない場合や、あるいは、放送番組のように、同期がとれれば元オブジェクトから同期情報を送出しない場合でも、元オブジェクトの対応付けの可能なＩＤ情報を出力することが可能となる。
【００４４】
ところで、電子目録１１としては、上述した電子目録１２以外の構成を有する電子目録を適用することが可能である。そこで、以下にそのうちの三つの例（（１）〜（３））を説明する。
【００４５】
（１）第二例である電子目録１３は、図４に示すように、目録識別情報１３０の内容（ＴＶ，ｃｈ−１，Ｔｏｋｙｏ）によって識別、特定される。同図に示す場合、東京地区の１チャンネルのテレビ番組を表すものであることは、図２に示す電子目録１２と同様である。電子目録１３は二次元の表構成をしており、縦方向（列方向）は、時刻による設定同期情報を表す列１３１、番組の内容を表す列１３２、ＩＤリストを表す列１３３、付加情報リストを表す列１３４、説明を表す列１３５とから成り、横方向（行方向）は、各時刻におけるテレビ番組の内容に対応するＩＤ情報群を表す複数の行１３−１，１３−２，１３−３，１３−４，．．．から成る。
【００４６】
電子目録１３においては、東京地区の１チャンネルのテレビ番組のうち、２００３年６月１０日２０時００分００秒に放送される内容が、“ドラマ「ＩＤつき電子目録の野望」、原作：サイバー電子、出演：ＩＤ太朗，目録花子，他”であり、この内容に対して、３個のＩＤ（０００１，００２５，００３１）が対応付けられている。このうち、例えば、ＩＤ＝０００１はこの番組の作品（ドラマ「ＩＤつき電子目録の野望」）に付与したもの、ＩＤ＝００２５はこの番組の原作者（サイバー電子）に付与したもの、ＩＤ＝００３１はこの番組の主題歌に付与したものとすることができる（１３−１行）。
【００４７】
同様に、２００３年６月１０日２０時０１分００秒に放送される場面の内容が、“舞台：鎌倉”であり、この内容に対し、１個のＩＤ（００１２）と３個の付加情報（００１２−０００２，００１２−０００５）が対応付けられており、ＩＤ＝００１２はこの番組のこの場面の舞台（鎌倉）に付与したもの、付加情報＝００１２−０００２はこの番組のこの場面の内容（八幡宮）に付与したもの、付加情報＝００１２−０００５はこの番組のこの場面の内容（建長寺）に付与したものとすることができる（１３−２行）。
【００４８】
また、２００３年６月１０日２０時０１分１０秒に放送される場面の内容が、出演者“ＩＤ太朗，目録花子の登場”であり、この内容に対し、２個のＩＤ（００２０，００２１）が対応付けられており、それぞれ、ＩＤ＝００２０はこの番組のこの場面に登場する俳優（ＩＤ太朗）に付与したもの、付加情報＝００２１はこの番組のこの場面に登場する俳優（目録花子）に付与したものとすることができる（１３−３行）。
【００４９】
さらに、２００３年６月１０日２０時０１分３０秒に放送される場面の内容が、“車が現れる”であり、この内容に対して１個のＩＤ（００４３）が対応付けられており、このＩＤ＝００４３はこの番組のこの場面に登場する車（外国車）に付与したものであるとすることができる（１３−４行）。
【００５０】
したがって、本実施形態の電子目録システム１において、このような電子目録１３を使用するとき、入力同期情報３１として時々刻々のクロックデータが入力され、そのクロックデータが電子目録１３内の設定同期情報列の値と一致した行中のＩＤリスト列及び付加情報リスト列の内容が、ＩＤ情報４１として電子目録システム１の外部に出力される。
【００５１】
（２）第三例である電子目録１４は、図５に示すように、目録識別情報１４０の内容（鎌倉歴史グルメ案内、プロバイダα）によって特定される。同図に示す場合、電子目録１４は、プロバイダαによって提供される「鎌倉歴史グルメ案内」を表す。電子目録１４は二次元の表構成をしており、縦方向は、位置（緯度および経度データ）による設定同期情報を表す列１４１、その位置に対応する場所の内容を表す列１４２、ＩＤリストを表す列１４３、付加情報リストを表す列１４４、説明を表す列１４５とから成り、横方向は、各位置に対応する場所の内容に関するＩＤ情報群を表す複数の行１４−１，１４−２，１４−３，１４−４，．．．から成る。
【００５２】
電子目録１４においては、北緯３５度１８分５５秒６０２（ｎｌ＝３５．１８．５５．６０２），東経１３９度３３分１４秒４００（ｅｌ＝１３９．３３．１４．４００）に位置する地点に、“鎌倉駅”があり、この場所に対し、１個のＩＤ（０００１２−０００１）と２個の付加情報（０００３，０００５）が対応付けられており、ＩＤ＝００１２−０００１は鎌倉駅近辺に付与したもの、付加情報ＩＤ＝０００３は鎌倉駅近辺の“鎌倉饅頭”という店に付与したもの、付加情報ＩＤ＝０００５は鎌倉駅近辺の“源氏パスタ”という店に付与したものであるとしている（１４−１行）。
【００５３】
同様に、北緯３５度１９分１２秒５２８，東経１３９度３３分３０秒９２８に位置する地点に、“鶴岡八幡宮”があり、この場所に対し、１個のＩＤ（０００１２−０００２）と１個の付加情報（０００１）が対応付けられており、それぞれ、ＩＤ＝００１２−０００２は鶴岡八幡宮近辺に付与したもの、付加情報ＩＤ＝０００１は鶴岡八幡宮近辺の“鶴八そば”という店に付与したものであることを表す（１４−２行）。
【００５４】
また、北緯３５度１９分３４秒７２２，東経１３９度３３分２３秒７４５に位置する地点に、“建長寺”があり、この場所に対し、１個のＩＤ（０００１２−０００５）と１個の付加情報（０００１）が対応付けられており、それぞれ、ＩＤ＝００１２−０００５は建長寺近辺に付与したもの、付加情報ＩＤ＝０００１は建長寺近辺の“禅がゆ”という店に付与したものである（１４−３行）。
【００５５】
加えて、北緯３５度１９分７０秒７２４、東経１３９度３２分５９秒９３２に位置する地点に、“銭洗弁天”があり、この場所に対し、１個のＩＤ（０００１２−０００８）と１個の付加情報（０００１）が対応付けられており、それぞれ、ＩＤ＝００１２−０００８は銭洗弁天近辺に付与したもの、付加情報ＩＤ＝０００１は銭洗弁天近辺の“福覆水”という店に付与したものであることをそれぞれ表す（１４−４行）。
【００５６】
したがって、本実施形態の電子目録システム１において、このような電子目録１４を使用する場合には、入力同期情報３１として、時々刻々のクロックデータと位置情報データ（このデータは、たとえば、ＧＰＳ（Ｇｌｏｂａｌ  Ｐｏｓｉｔｉｏｎｉｎｇ  Ｓｙｓｔｅｍ）を持って移動する場合などに生成される）が入力され、そのうちの位置情報データが電子目録１４内の設定同期情報列１４１の値と一致した行中のＩＤリスト列及び付加情報リスト列の内容が、ＩＤ情報４１として電子目録システム１の外部に出力される。
【００５７】
ここで、入力同期情報３１として、絶対位置の場合について説明したが、起点位置とその起点からの相対位置を使用することも勿論可能である。
【００５８】
（３）第四例である電子目録１５は、図６に示すように、目録識別情報１５０の内容（現場作業、プロバイダβ）によって特定されるものであり、同図に示す場合、プロバイダβによって提供されている現場作業に関するガイドを表すものである。電子目録１５は二次元の表構成をしており、縦方向（列方向）は、時刻や位置、あるいは他のオブジェクトなどの同期情報の種別を表す列１５７、同期情報の値を表す列１５１、その同期情報値に対応する内容を表す列１５２、ＩＤリストを表す列１５３、付加情報リストを表す列１５４とから成り、横方向（行方向）は、各設定同期情報種別および設定同期情報値に対応する内容に関するＩＤ情報群を表す複数の行１５−１，１５−２，１５−３，１５−４，１５−５，１５−６，・・・から成る。
【００５９】
電子目録１５においては、設定同期情報種別に記載されている「人」オブジェクトに関して“検査者Ａ”という設定同期情報値で表されるデータの入力は、“Ａさんによる確認”を意味し、この内容に対して、１個のＩＤ（１００１）が対応付けられていることを表す（１５−１行）。
【００６０】
同様に、設定同期情報種別「人」オブジェクトに属する“検査者Ｂ”という値で表されるデータの入力は、“Ｂさんによる確認”を意味し、この内容に対し、１個のＩＤ（１００２）が対応付けられていること（１５−２行）、場所オブジェクトに属する“ポイントＰ１”という設定同期情報値で表されるデータの入力は、“チェック地点Ｐ１通過”を意味し、この内容に対し、１個のＩＤ（２００１）が対応付けられていることを表す（１５−３行）。
【００６１】
また、設定同期情報種別「場所」オブジェクトに属する“ポイントＰ２”という設定同期情報値で表されるデータの入力は、“チェック地点Ｐ２通過”を意味し、この内容に対し、１個のＩＤ（２００２）が対応付けられていることを表す（１５−４行）。
【００６２】
加えて、設定同期情報種別「状態」オブジェクトに属する“ステップ＿１”という設定同期情報値で表されるデータの入力は、“第１段階終了”を意味し、この内容に対し、１個のＩＤ（３００１）が対応付けられていること（１５−５行）を表し、設定同期情報種別「状態」オブジェクトに属する“ステップ＿２”という設定同期情報値で表されるデータの入力は、“第２段階終了”を意味し、この内容に対し、１個のＩＤ（３００２）が対応付けられていることを表す（１５−６行）。
【００６３】
したがって、本実施形態の電子目録システム１において、このような電子目録１５を使用する場合にも、図２の電子目録１２を使用する場合と同様に、入力同期情報３１として、時々刻々のクロックデータとオブジェクトデータが入力され、その種別と値が電子目録１５内の設定同期情報種別列と設定同期情報値列の値と一致した行中のＩＤリスト列の内容が、ＩＤ情報４１として電子目録システム１の外部に出力される。
【００６４】
いうまでもなく、以上（１）、（２）、および（３）でそれぞれ説明した電子目録１３、１４、および１５を用いても、電子目録１２を用いとたきと同様の効果を得ることができる。
【００６５】
なお、本実施形態における各種処理を実行させるためのアルゴリズムを記載したプログラムがインストールされた所定のコンピュータを用いて実施しても同様の効果を得ることができる。さらにそのようなプログラムを記録したコンピュータ読み取り可能なプログラム記録媒体をコンピュータに装着し、そのプログラム記録媒体に格納されているプログラムを読み出すことによって、コンピュータが上述した処理を実行するようにしてもよい。ここで、「コンピュータ読み取り可能な」プログラム記録媒体としては、ハードディスク、フレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｋ）、光磁気ディスク、ＰＣカード等を用いることができる。この点は、本発明の全ての実施の形態に共通する事項である。
【００６６】
（第２の実施形態）
図７は、本発明の第２の実施形態に係る電子目録システムの概念図である。同図に示す電子目録システム２は、形式が異なる複数の電子目録（電子目録１６１，電子目録１６２，・・・  ，電子目録１６ｍ：ｍは正の整数）から構成される電子目録群Ｇ１６と、同期判定手段２１１と、ＩＤ情報出力手段２１２と、電子目録群Ｇ１６から電子目録を選択する選択手段とを備える。
【００６７】
このうち、電子目録群Ｇ１６に属する個々の電子目録１６１，・・・，１６ｍが、データベースとしての記憶手段２１３に格納されており、後述する各種処理において、同期判定手段２１およびＩＤ情報出力手段２２が、必要に応じてこの記憶手段に格納されている電子目録を読み出して参照したり、あるいはこの記憶手段に対して新たなデータを格納したりすることは第１の実施形態と同様である。
【００６８】
したがって、電子目録システム２が、ＣＰＵによって制御並びに演算を実行する電子的な装置であるコンピュータを一つまたは複数用いることによって構成されている点についても、第１の実施形態と同様であることはいうまでもない。
【００６９】
なお、本実施形態において、電子目録１６１、１６２、・・・、１６ｍの各々は、第１の実施形態において説明した電子目録１２、１３、１４、１５のうちのいずれかの形式が採用されているものとするが、電子目録の形式は必ずしもこれらに限られるわけではなく、他の形式を含むように電子目録群Ｇ１６を構成することも勿論可能である。
【００７０】
次に、本実施形態に係る電子目録システム２の作用を図８のフローチャート図を用いて説明する。
【００７１】
まず、電子目録システム２に対して、外部から目録選択情報１６０１（ＴＶ，ｃｈ−１，東京，プロバイダγ）が入力されると、ステップＳ２１でこの目録選択情報１６０１を受信した電子目録システム２では、選択手段において、データベースに記憶、管理されている各電子目録の目録識別情報との比較を行い、両者が合致する電子目録１６ｘ（ｘ＝１，２，・・・，ｍのいずれか）を少なくとも一つ選択する（ステップＳ２２）。図示はしないが、このステップＳ２２において、選択しうる目録選択情報が無かった場合には、例えばエラーの送信を目録選択情報送信先に対して行うことも可能である。この意味で、以後の処理及び図８のフローチャート図は、受信した目録選択情報に対応する電子目録が選択された場合についての処理である。
【００７２】
その後、同期情報３１０が外部から入力されると、その入力同期情報３１０を受信し（ステップＳ２３）、ステップＳ２２で選択した電子目録１６ｘを用いて、同期判定手段２１１において、入力同期情報３１０と電子目録１６ｘに予め設定されている設定同期情報との比較を行い（ステップＳ２４）、目録内容のうち“同期している”と判定した部分の情報が、ＩＤ情報出力手段２１２に渡される。そしてＩＤ情報出力手段２１２は、電子目録１６ｘの内容から、“同期している”と判定された部分に対応するＩＤの情報をＩＤ情報４１０として抽出し（ステップＳ２５）、このＩＤ情報４１０を電子目録システム２の外部に出力する（ステップＳ２６）。
【００７３】
このとき、合致した目録識別情報１６０２（図７の場合、「ＴＶ用、東京地区のＣｈ−１、プロバイダγ提供」）は、必要に応じて、ＩＤ情報４１０と共に、外部に出力される。この出力は、ＩＤ情報出力手段２１２で行うことも可能である一方で、選択手段の一機能として実現することも可能である。
【００７４】
以上説明した本発明の第２の実施形態が、第１の実施形態と同様の効果を奏することは勿論である。
【００７５】
加えて、本実施形態によれば、電子目録の形式によらず、所望のＩＤ情報を抽出することが可能となる。
【００７６】
（第３の実施形態）
本発明の第３の実施形態は、電子目録システムを用いて利用者に電子目録の関連情報を紹介する電子目録関連情報紹介システムに関するものである。
【００７７】
図９は、本実施形態に係る電子目録関連情報紹介システムの概念図である。同図に示す電子目録関連情報紹介システム３は、映像や音楽などのコンテンツである元オブジェクト７１を入力して再生などの制御を行うと共に、この制御に伴って外部に同期情報３１１を出力する元オブジェクト制御手段６１１と、外部から入力されるＩＤ関連情報８１０の表示などの制御を行うＩＤ関連情報制御手段６１２とから成る端末システム６１、この端末システム６１から受信した同期情報３１１および目録選択情報５１１に基づいてＩＤ情報４１１の抽出を行う電子目録システム５１、この電子目録システム５１から入力されるＩＤ情報４１１に関連するデータを保持する情報蓄積手段８１２と、この情報蓄積手段８１２に接続された情報紹介システム８１１を備える。
【００７８】
電子目録システム５１、端末システム６１、情報紹介システム８１１、および情報蓄積手段８１２は、それぞれが一または複数のコンピュータ（システム）によって構成されており、互いにインターネットや専用回線等の通信ネットワークを介して電気的に接続可能な構成を有している。
【００７９】
このような構成を有する電子目録関連情報紹介システム３の作用を、図１０の処理フロー図を用いて説明する。
【００８０】
まず、端末システム６１は、電子目録の選択のために、電子目録システム５１宛に目録選択情報５１１を送信する（ステップＳ３１）。
【００８１】
電子目録システム５１では、以降使用される電子目録が選択される。なお、この動作は、随時行うことが可能である（ステップＳ３２）。
【００８２】
その後、元オブジェクト７１の入力に従い、端末システム６１では、元オブジェクト制御手段６１１により、元オブジェクト７１の再生などの制御を行うと同時に同期情報３１１が生成され、電子目録システム５１宛に適宜送出される（ステップＳ３３）。
【００８３】
電子目録システム５１では、予め入力した目録選択情報５１１に従って選択された電子目録の内容に基づいて、入力された入力同期情報３１１と合致する設定同期情報を有するオブジェクトのＩＤ情報４１１を出力する（ステップＳ３４）。
【００８４】
電子目録システム５１から出力されたＩＤ情報４１１は、情報紹介システム８１１に入力される。情報紹介システム８１１では、このＩＤ情報４１１などに基づいて、情報蓄積手段８１２の保持するデータの中から当該情報に関連するＩＤ関連情報８１０を選択して出力する（ステップＳ３５）。
【００８５】
出力されたＩＤ関連情報８１０は、端末システム６１に入力され、ＩＤ関連情報制御手段６１２により、入力情報の表示などの制御が行われる（ステップＳ３６）。
【００８６】
本実施形態においては、以上のステップＳ３３〜Ｓ３６の処理を、元オブジェクト７１の終わりまで繰り返す。
【００８７】
なお、電子目録システム５１の出力するＩＤ情報４１１として、選択された電子目録中から得られたデータのみを記しているが、同期判定が合致した場合の電子目録システム５１への入力同期情報３１１の全部あるいは一部を合わせて出力することも可能である。この追加データは、情報紹介システム８１１における出力ＩＤ関連情報８１０の絞り込みなどに使用できる。
【００８８】
以上説明した本実施形態においては、電子目録や情報紹介システムを複数の第三者が提供可能である。
【００８９】
まず、電子目録に関しては、一つの元オブジェクト、すなわち、映像コンテンツ（ＴＶ番組、ＤＶＤ格納映画など）に対して、同期情報が時刻の場合、次の電子目録を別々の業者が提供することができる：
（ａ）俳優が現れる時に、その俳優をユニークに特定するＩＤを出力
（ｂ）場所（都市）が舞台となる時に、その都市をユニークに特定するＩＤを出力
（ｃ）物品が現れる時に、その物品をユニークに特定するＩＤを出力
【００９０】
次に、これらのＩＤ情報を入力し、次の関連情報を出力する情報紹介システムを別々の業者が提供することができる。ここでの符号は、上記電子目録の例で説明した各電子目録（ａ）〜（ｃ）にそれぞれ対応している：
（ａ−１）俳優の公式ホームページ、ファンクラブ情報、ブロマイド入手情報
（ａ−２）俳優の顔をプリントしたＴシャツなどのグッズ販売サイト、他の出演映画紹介
（ｂ）都市の観光紹介、その都市へのパックツアーガイド
（ｃ）物品の販売店、オークションサイト、関連物品紹介
【００９１】
以上説明した本発明の第３の実施形態によれば、電子目録システムの出力するＩＤ情報を用いて、元オブジェクトの関連情報を利用者に提供することとしたので、元オブジェクト作成者のみならず、第三者による電子目録や関連情報の作成と提供が可能となる。
【００９２】
また、本実施形態によれば、第三者による電子目録や関連情報の作成および提供が可能となる。近年、デジタルコンテンツや俳優等のオブジェクトにユニークな識別番号を付与しようという動きがあり、そのような識別番号体系の標準化も始まっている。そこで、本実施形態のように、ＩＤ情報として、標準のユニーク識別番号を用いることにより、第三者による電子目録システムや関連情報の提供が非常に容易となる。
【００９３】
これにより、元オブジェクトそのものの利用数も増大し、ユーザも元オブジェクトに関連した多様なサービスを享受することが出来る、電子目録提供や関連情報提供という新規ビジネスが可能となる等、コンテンツ流通関連ビジネスの活性化が促進されるという大きな経済的効果をもたらすことができる。
【００９４】
図１７〜１９は、それぞれ、本実施形態に係る電子目録関連情報紹介システム３の具体的な実施例として想定される利用シーンを概念的に示す図である。
【００９５】
図１７は、第１の実施例としてテレビを見ながら、関連コンテンツ／サービス情報がインターネットに接続されたＰＣ（Ｐｅｒｓｏｎａｌ  Ｃｏｍｐｕｔｅｒ）に表示される場合のサービスイメージを概念的に示す図である。同図においては、本実施形態の各構成要素を次のように対応付けしている：
・電子目録システム５１→ＥｐＩＤＧ（電子番組ガイド）５６
・元オブジェクト７１→放送局から送信される番組コンテンツ７６
・同期情報３１１→ＥｐＩＤＧ５６内部クロックのデータ（クロックデータ）３１６
・端末システム６１→テレビ６６１とノートＰＣ６６２の組み合わせ
・元オブジェクト制御手段６１１→テレビ６６１
・ＩＤ関連情報制御手段６１２→ノートＰＣ６６２
・ＩＤ情報４１１→ＩＤ（オブジェクト識別データ），ｔｉｍｅ（時刻データ），ｐｏｓｉｔｉｏｎ（空間位置データ）  ４１６
・情報紹介システム８１１→サービス仲介ゲートウェイ８６１
・情報蓄積手段８１２→関連情報８６２
・ＩＤ関連情報８１０→ＵＲＬ（Ｕｎｉｆｏｒｍ  Ｒｅｓｏｕｒｃｅ  Ｌｏｃａｔｏｒ）８６０
【００９６】
図１８は、第２の実施例として、ＣＤまたはＤＶＤ（以下、「ＣＤ／ＤＶＤ」と記載）を聴きながら、関連コンテンツ／サービス情報がインターネットに接続されたＰＣに表示される場合のサービスイメージを概念的に示す図である。同図における本実施形態の各構成要素との対応付けは次のとおりである：
・電子目録システム５１→ＥｐＩＤＧ５７
・元オブジェクト７１→ＣＤ／ＤＶＤ内のコンテンツ７７
・同期情報３１１→ＥｐＩＤＧ内部クロックのデータ３１７
・端末システム６１→ＣＤ／ＤＶＤプレーヤ６７１とノートＰＣ６７２の組み合わせ
・元オブジェクト制御手段６１１→ＣＤ／ＤＶＤプレーヤ６７１
・ＩＤ関連情報制御手段６１２→ノートＰＣ６７２
・ＩＤ情報４１１→ＩＤ，ｔｉｍｅ  ４１７
・情報紹介システム８１１→サービス仲介ゲートウェイ８７１
・情報蓄積手段８１２→関連情報８７２
・ＩＤ関連情報８１０→ＵＲＬ（Ｕｎｉｆｏｒｍ  Ｒｅｓｏｕｒｃｅ  Ｌｏｃａｔｏｒ）８７０
【００９７】
図１９は、第３の実施例として、携帯電話やＰＨＳ（Ｐｅｒｓｏｎａｌ  Ｈａｎｄｙｐｈｏｎｅ  Ｓｙｓｔｅｍ：登録商標）等の携帯端末で音楽を聴きながら、関連コンテンツ／サービス情報がその携帯端末の画面に表示される場合のサービスイメージを概念的に示す図である。同図における本実施形態の各構成要素との対応付けは次のとおりである：
・電子目録システム５１→ＥｐＩＤＧ５８
・元オブジェクト７１→プロバイダから配信される音楽コンテンツ７８
・同期情報３１１→ＥｐＩＤＧ内部クロックのデータ３１８
・端末システム６１→携帯電話６８
・元オブジェクト制御手段６１１→携帯電話の音楽受信・再生部分６８１
・ＩＤ関連情報制御手段６１２→携帯電話のインターネットブラウズ・表示部分６８２
・ＩＤ情報４１１→ＩＤ，ｔｉｍｅ  ４１８
・情報紹介システム８１１→サービス仲介ゲートウェイ８８１
・情報蓄積手段８１２→関連情報８８２
・ＩＤ関連情報８１０→ＵＲＬ８８０
【００９８】
以上の実施例では、元オブジェクトの種別として、最も複雑な映像コンテンツを中心に説明してある。しかしながら、本実施形態は、あらゆる種類の元オブジェクト及びＩＤ関連情報に適用できることは明らかである。例えば、ラジオ放送や有線放送番組に対し、その説明テキストなどの情報を紹介する場合、走行シミュレーションデータ・コンテンツに対し、ＢＧＭ（Ｂａｃｋｇｒｏｕｎｄ  Ｍｕｓｉｃ）や挿絵（静止画）やコンピュータプログラムを紹介する場合、ゲームに対し、特別ポイント獲得案内や特殊効果音や別のゲームを紹介する場合など、時間、（空間）位置、オブジェクトにより同期がとれてＩＤに対応付けられるものであれば、さまざまな組み合わせを想定することができる。
【００９９】
このように、上述した三つの実施例はあくまでも好ましい実施例を示したに過ぎず、これ以外にもさまざまな利用シーンにおいて本実施形態の電子目録関連情報紹介システム３を用いたサービスの提供が可能であることはいうまでもない。
【０１００】
このような具体的な利用シーンは、後述する各実施形態においても同様に想定することが可能である。
【０１０１】
（第４の実施形態）
図１１は、本発明の第４の実施形態に係る電子目録関連情報紹介システムの概念図である。
【０１０２】
同図に示す電子目録関連情報紹介システム４は、電子目録システム５２、映像や音楽などのコンテンツである元オブジェクト７２を入力して再生などの制御を行うと共に、この制御に伴って外部に対して入力同期情報３１２を出力する元オブジェクト制御手段６２１と、外部から入力するＩＤ関連情報８２０の表示などの制御を行うＩＤ関連情報制御手段６２２とから成る端末システム６２、入力するＩＤ情報４１２に関連するデータを保持する情報蓄積手段８２２と接続され、ＩＤ情報４１２と共に入力する目録識別情報４１２１及び端末システム利用者識別情報４１２２に関連するＩＤ関連情報出力状態管理情報９２２を管理するＩＤ関連情報出力状態管理手段９２１を含む情報紹介システム８２１とを備える。
【０１０３】
本実施形態においても、電子目録システム５２、端末システム６２、情報紹介システム８２１、および情報蓄積手段８２２は、それぞれが一または複数のコンピュータ（システム）によって構成されており、互いにインターネットや専用回線等の通信ネットワークを介して電気的に接続可能な構成を有している。
【０１０４】
このような構成を有する電子目録関連情報紹介システム４の作用を、図１２の処理フロー図を用いて説明する。
【０１０５】
まず、端末システム６２は、電子目録の選択のために、電子目録システム５２宛に目録選択情報５２１及び端末システム利用者識別情報５２２を送信する（ステップＳ４１）。
【０１０６】
電子目録システム５２の内部では、以降使用される電子目録が選択する（ステップＳ４２）。なお、この動作は、随時行うことが可能である。
【０１０７】
その後、電子目録システム５２では、あらかじめ入力した目録選択情報５２１に従って選択された電子目録の内容に基づいて、入力同期情報３１２と合致したＩＤ情報４１２を出力するとともに、入力した目録選択情報５２１に基づく目録識別情報４１２１、及び同じく入力した端末システム利用者識別情報５２２に基づく端末システム利用者識別情報４１２２を出力する（ステップＳ４４）。
【０１０８】
出力されたＩＤ情報４１２及び目録識別情報４１２１、端末システム利用者識別情報４１２２は、情報紹介システム８２１に入力され、このうち目録識別情報４１２１と端末システム利用者識別情報４１２２は、ＩＤ関連情報出力状態管理手段９２１による出力するＩＤ関連情報８２０の選択のために使用される。そのために、ＩＤ関連情報出力状態管理情報９２２に、これらの入力情報と出力済みのＩＤ関連情報データとのセットを保持する（ステップＳ４５）。ここでの情報の選択とは、例えば、同一の端末システム６２利用者による同一の電子目録を用いたＩＤ情報に対しては、既に出力済みのＩＤ関連情報の絞り込み検索を行ったり、過去に出力したＩＤ関連情報と同じ種類やジャンルのＩＤ関連情報を抽出したりすることを意味する。
【０１０９】
以上の処理以外については、上記第３の実施形態と同じ（図１０を参照）である。具体的には、図１０のステップＳ３３、Ｓ３５、Ｓ３６が、図１２のステップＳ４３、Ｓ４６、Ｓ４７にそれぞれ対応している。
【０１１０】
本実施形態においても、以上のステップＳ４３〜Ｓ４７の処理を、元オブジェクト７１の終わりまで繰り返す。
【０１１１】
このような本発明の第４の実施形態が、上記第３の実施形態と同様の効果を奏するものであることはいうまでもない。
【０１１２】
（第５の実施形態）
図１３は、本発明の第５の実施形態に係る電子目録関連情報紹介システムの概念図である。同図に示す電子目録関連情報紹介システム５は、電子目録システム５３、映像や音楽などのコンテンツである元オブジェクト７３と、元オブジェクト７３を入力して再生などの制御を行う元オブジェクト制御手段６３１と、外部から入力するＩＤ関連情報８３０の表示などの制御を行うＩＤ関連情報制御手段６３２とから成る端末システム６３、入力するＩＤ情報４１３に関連するデータを保持する情報蓄積手段８３２と接続された情報紹介システム８３１とを備える。
【０１１３】
このような電子目録関連情報紹介システム５において、電子目録システム５３に入力される同期情報３１３は、元オブジェクト７３そのものから、または元オブジェクトの付随オブジェクト（たとえば、メタデータなど）から、または元オブジェクト７３の元オブジェクト制御手段６３１への転送元から出力される。これ以外の動作については、第３の実施形態（図１０を参照）と同様である。
【０１１４】
以上説明した本発明の第５の実施形態においても、上記第３および第４の実施形態と同様の効果が得られる。
【０１１５】
（第６の実施形態）
図１４は、本発明の第６の実施形態に係る電子目録関連情報紹介システムの概念図である。同図に示す電子目録関連情報紹介システム６は、映像や音楽などのコンテンツである元オブジェクト７４と、電子目録システム５４を含むと共に、さらに元オブジェクト７４を入力して再生などの制御を行う元オブジェクト制御手段６４１と、外部から入力するＩＤ関連情報８４０の表示などの制御を行うＩＤ関連情報制御手段６４２とから成る端末システム６４、入力するＩＤ情報４１４に関連するデータを保持する情報蓄積手段８４２と接続された情報紹介システム８４１とを備える。
【０１１６】
同図の電子目録関連情報紹介システム６における動作については、第３の実施形態（図１０を参照）と同様であり、その効果も同一である。
【０１１７】
（第７の実施形態）
図１５は、本発明の第７の実施形態に係る電子目録関連情報紹介システムの概念図である。同図に示す電子目録関連情報紹介システム７は、映像や音楽などのコンテンツである元オブジェクト７５と、電子目録システム５５を含むと共に、さらに元オブジェクト７５を入力して再生などの制御を行う元オブジェクト制御手段６５１と、外部から入力するＩＤ関連情報８５０の表示などの制御を行うＩＤ関連情報制御手段６５２とから成る端末システム６５、入力するＩＤ情報４１５に関連するデータを保持する情報蓄積手段８５２と接続された情報紹介システム８５１とを備える。同図の電子目録関連情報紹介システムにおける動作については、第５の実施形態と同様であり、その効果も同一である。
【０１１８】
（第８の実施形態）
図１６は、本発明の第８の実施形態に係る電子目録関連情報紹介システムの概念図である。同図に示す電子目録関連情報紹介システム８は、映像や音楽などのコンテンツである元オブジェクト７１’と、元オブジェクト７１’を入力して再生などの制御を行う元オブジェクト制御手段６１’１と、外部から入力するＩＤ関連情報８１’０の表示などの制御を行うＩＤ関連情報制御手段６１’２とから成る端末システム６１’と、電子目録システム５１’を含み、同システム５１’から出力するＩＤ情報４１１’に関連するデータを保持する情報蓄積手段８１’２と接続された情報紹介システム８１’１とを備える。
【０１１９】
この電子目録関連情報紹介システム８における動作については、第３の実施形態（図１０を参照）と同じであり、その効果も同一である。
【０１２０】
【発明の効果】
以上の説明からも明らかなように、本発明によれば、元オブジェクトと関連情報とを容易に対応付けることを可能とすると共に、多数の第三者に電子目録や関連情報群の作成と提供を促し、利用者に対して適切なユーザインタフェースを提供することのできる電子目録を用いたＩＤ情報抽出方法、電子目録を用いたＩＤ関連情報紹介方法、電子目録システム、および電子目録関連情報紹介システムを提供することができる。
【０１２１】
近年、デジタルコンテンツや俳優等のオブジェクトにユニークな識別番号を付与しようという動きがあり、そのような識別番号体系の標準化も始まっている。ＩＤ情報として、標準のユニーク識別番号を用いることにより、第三者による電子目録システムや関連情報の提供が非常に容易となる。
【０１２２】
これにより、元オブジェクトそのものの利用数も増大し、ユーザも元オブジェクトに関連した多様なサービスを享受することが出来る、電子目録提供や関連情報提供という新規ビジネスが可能となる等、コンテンツ流通関連ビジネスの活性化が促進されるという大きな経済的効果をもたらすことができる。
【図面の簡単な説明】
【図１】本発明の第１の実施形態に係る電子目録システムの概念図である。
【図２】図１に示す電子目録システムで用いる電子目録の一例を表す概念図である。
【図３】本発明の第１の実施形態に係る電子目録システムの処理の流れを示すフローチャート図である。
【図４】図１に示す電子目録システムで用いる電子目録の別な例を表す概念図である。
【図５】図１に示す電子目録システムで用いる電子目録の第三例を表す概念図である。
【図６】図１に示す電子目録システムで用いる電子目録の第四例を表す概念図である。
【図７】本発明の第２の実施形態に係る電子目録システムの概念図である。
【図８】本発明の第２の実施形態に係る電子目録システムの処理の流れを示すフローチャート図である。
【図９】本発明の第３の実施形態に係る電子目録関連情報紹介システムの概念図である。
【図１０】本発明の第３の実施形態に係る電子目録関連情報紹介システムの処理の流れを示す処理フロー図である。
【図１１】本発明の第４の実施形態に係る電子目録関連情報紹介システムの概念図である。
【図１２】本発明の第４の実施形態に係る電子目録関連情報紹介システムの処理の流れを示す処理フロー図である。
【図１３】本発明の第５の実施形態に係る電子目録関連情報紹介システムの概念図である。
【図１４】本発明の第６の実施形態に係る電子目録関連情報紹介システムの概念図である。
【図１５】本発明の第７の実施形態に係る電子目録関連情報紹介システムの概念図である。
【図１６】本発明の第８の実施形態に係る電子目録関連情報紹介システムの概念図である。
【図１７】図９に示す電子目録関連情報紹介システムの第１の実施例を概念的に示す図である。
【図１８】図９に示す電子目録関連情報紹介システムの第２の実施例を概念的に示す図である。
【図１９】図９に示す電子目録関連情報紹介システムの第３の実施例を概念的に示す図である。
【図２０】従来の電子目録システムの一例を示す概念図である。
【図２１】従来のＩＤ関連情報紹介システムの一例を示す概念図である。
【符号の説明】
１，２，５１，５２，５３，５４，５５，１０１  電子目録システム
３，４，５，６，７，８  電子目録関連情報紹介システム
１１，１２，１３，１４，１５，１６１，１６２，・・・，１６ｍ，１６ｘ  電子目録
２１，２１１  同期判定手段
２２，２１２  ＩＤ情報出力手段
２３，２１３  記憶手段
６１，６２，６３，６４，６５，６９  端末システム
６１１，６２１，６３１，６４１，６５１、６１’１、６９１  元オブジェクト制御手段
６１２，６２２，６３２，６４２，６５２，６１’２、６９２  ＩＤ関連情報制御手段
８１１，８２１，８３１，８４１，８５１，８１’１、８９１  情報紹介システム
８１２，８２２，８３２，８４２，８５２，８１’２、８９２  情報蓄積手段
９２１  ＩＤ関連情報出力状態管理手段
９２２  ＩＤ関連情報出力状態管理情報
Ｇ１６  電子目録群
【図１】
2004355280.tif 000003
【図２】
2004355280.tif 000004
【図３】
2004355280.tif 000005
【図４】
2004355280.tif 000006
【図５】
2004355280.tif 000007
【図６】
2004355280.tif 000008
【図７】
2004355280.tif 000009
【図８】
2004355280.tif 000010
【図９】
2004355280.tif 000011
【図１０】
2004355280.tif 000012
【図１１】
2004355280.tif 000013
【図１２】
2004355280.tif 000014
【図１３】
2004355280.tif 000015
【図１４】
2004355280.tif 000016
【図１５】
2004355280.tif 000017
【図１６】
2004355280.tif 000018
【図１７】
2004355280.tif 000019
【図１８】
2004355280.tif 000020
【図１９】
2004355280.tif 000021
【図２０】
2004355280.tif 000022
【図２１】
2004355280.tif 000023